(57)【要約】【課題】リール及びリール以外の被照明部の照明を行うと共に、小型化及び組立工数の低減を図る。【解決手段】遊技機は、外周面に複数種類の図柄が配列された回転リール（Ｒ２）と、前方から前記回転リールを視認可能な表示窓（５１）と、前方から視て前記表示窓の外側に位置する外装部と、前記外装部に設けられた被照明部（ＮＬ２）及び前記回転リールの照明を行う照明手段（７０）と、を備える。前記照明手段は、前記外装部の後方に配置された基板（７１）と、前記基板の第１面に配置され、前記被照明部の照明に用いられる光を発する第１光源（Ｌ１）と、前記基板の前記第１面とは反対の第２面に配置され、前記回転リールの照明に用いられる光を発する第２光源（Ｌ２）と、を有する。【選択図】図６
2018153453.tif 000002
【特許請求の範囲】
【請求項１】
外周面に複数種類の図柄が配列された回転リールと、
前方から前記回転リールを視認可能な表示窓と、
前方から視て前記表示窓の外側に位置する外装部と、
前記外装部に設けられた被照明部及び前記回転リールの照明を行う照明手段と、を備え、
前記照明手段は、前記外装部の後方に配置された基板と、前記基板の第１面に配置され、前記被照明部の照明に用いられる光を発する第１光源と、前記基板の前記第１面とは反対の第２面に配置され、前記回転リールの照明に用いられる光を発する第２光源と、を有する、
ことを特徴とする遊技機。
【請求項２】
前記第２光源が発した光を反射する反射部材を備え、
前記基板は、前記表示窓に対して上下方向の一方側に配置され、
前記反射部材は、前記回転リールの回転軸線に沿った方向から視た場合に、前記第２光源が発する光束の中心を通る光線を、上下方向の他方側に、かつ、前記回転リールと前記表示窓との間を通過する方向に向けて反射するように配置される、
ことを特徴とする請求項１に記載の遊技機。
【請求項３】
前記被照明部は、第１の被照明部及び第２の被照明部を含み、
前記基板の前記第１面に配置された第３光源と、
前記基板と前記外装部との間に、前記基板の前記第１面に対向するように配置され、前記第１光源が発した光を前記第１の被照明部へ導く光路と前記第３光源が発した光を前記第２の被照明部へ導く光路とを隔てる隔壁部と、を備える、
ことを特徴とする請求項１又は２に記載の遊技機。
【発明の詳細な説明】
【技術分野】
【０００１】
本発明は、遊技機に関する。
【背景技術】
【０００２】
外周面に図柄が配列されたリールを備えた遊技機（回胴式遊技機、スロットマシン）は、メダルやパチンコ玉などの遊技媒体に対して一定の遊技価値を付与し、遊技媒体を獲得するための遊技を遊技者に提供する。このような遊技機において、リールの外周面に光を照射して図柄の視認性を高める照明装置の光源として、発光ダイオード等の発光素子が用いられる場合がある。特許文献１には、発光ダイオードが実装された基板を用いてリールの照明を行う照明装置が記載されている。
【先行技術文献】
【特許文献】
【０００３】
【特許文献１】特開２００７−１５１９２３号公報
【発明の概要】
【発明が解決しようとする課題】
【０００４】
ところで、遊技機の前面には、通常、リールを視認可能な表示窓の他にも遊技の演出を行うための演出装置や装飾部材等が配置されるため、このような外装部材を被照明部とする照明が求められることがある。しかしながら、上記文献に記載された照明装置では、基板の片面に発光素子が実装され、他方の面は固定部材である板状の支持体に固定されているため、外装部材に対する照明を行うためには別個の照明装置を設ける必要があり、遊技機の大型化や組立工数の増加につながっていた。
【０００５】
そこで、本発明は、リール及びリール以外の被照明部の照明を行うと共に、小型化及び組立工数の低減が可能な遊技機を提供することを目的とする。
【課題を解決するための手段】
【０００６】
本発明の一態様に係る遊技機（１）は、
外周面に複数種類の図柄が配列された回転リール（Ｒ１，Ｒ２，Ｒ３）と、
前方から前記回転リールを視認可能な表示窓（５１）と、
前方から視て前記表示窓の外側に位置する外装部（５２ａ）と、
前記外装部に設けられた被照明部（ＮＬ１，ＮＬ２，ＮＬ３）及び前記回転リールの照明を行う照明手段（７０）と、を備え、
前記照明手段は、前記外装部の後方に配置された基板（７１）と、前記基板の第１面（７１１）に配置され、前記被照明部の照明に用いられる光を発する第１光源（Ｌ１）と、前記基板の前記第１面とは反対の第２面（７１２）に配置され、前記回転リールの照明に用いられる光を発する第２光源（Ｌ２）と、を有する。
【発明の効果】
【０００７】
本発明に係る遊技機の構成により、外装部に設けられる被照明部と回転リールという複数の照明対象を、１つの基板に配置された光源からの光を用いて照明を行うことができ、被照明部及び回転リールの照明を行うための基板を別個に設ける構成に比して遊技機の小型化及び組立工数の削減を図ることができる。
【図面の簡単な説明】
【０００８】
【図１】本開示の実施の形態に係るスロットマシンの斜視図。
【図２】スロットマシンの筐体内部の構成を示す正面図。
【図３】（ａ）はスロットマシンの正面図。（ｂ）は（ａ）に示す切断位置における断面図。
【図４】（ａ）、（ｂ）のいずれも両面ＬＥＤ基板の斜視図。
【図５】本実施形態に係る照明装置の分解図。
【図６】（ａ）、（ｂ）のいずれも両面ＬＥＤから発せられた光の代表的な光路を示す模式図。
【発明を実施するための形態】
【０００９】
以下、本発明に係る実施の形態について説明する。なお、以下に説明する実施の形態は、特許請求の範囲に記載された本発明の内容を不当に限定するものではない。また、本実施の形態で説明される構成の全てが、本発明の必須構成要件であるとは限らない。
【００１０】
１．遊技機の全体構成
まず、本発明の実施の形態に係る遊技機としてのスロットマシン１の全体構成について図１及び図２に基づいて説明をする。本実施の形態に係るスロットマシン１は、いわゆる回胴式遊技機と呼ばれるもので、メダルを遊技媒体として用いた遊技を行う種類の遊技機である。図１に示すように、スロットマシン１は、６面体構造のうち遊技者に対向する前面が開口した木製の筐体１０を備えていると共に、この開口した筐体１０の前面を開閉可能な前扉５０により被覆して構成されている。また、筐体１０の内部には、図２に示すように、複数の回転リールとしての第１リールＲ１〜第３リールＲ３を備えたリールユニット３０が収められていると共に、このリールユニット３０の下部には、メダルの払出装置としてのホッパーユニット２０が収められている。
【００１１】
第１リールＲ１〜第３リールＲ３は、それぞれ外周面が一定の間隔で２１の領域（以下、各領域を「コマ」と記載する）に区画されており、各コマに複数種類の図柄のいずれかが配列されている。また、第１リールＲ１〜第３リールＲ３は、リールを駆動させるアクチュエータとしての第１ステッピングモータ〜第３ステッピングモータに軸支されており、それぞれステッピングモータの軸周りに回転駆動され、ステッピングモータの駆動パルスのパルス数やパルス幅などを制御することによって、コマ単位（所定の回転角度単位、所定の回転量単位）で停止可能に設けられている。
【００１２】
また、上記リールユニット３０の上方には、前扉５０の裏側に配設された副制御基板ユニット（不図示）と共に遊技機の制御基板を構成する主制御基板ユニット４１が設けられている。主制御基板ユニット４１は、ＣＰＵ、ＲＯＭ（情報記憶媒体の一例）、ＲＡＭ等を搭載し、遊技を実行するための各種の演算を行って上記リールユニット３０や、ホッパーユニット２０等の動作を制御する。更に、筐体１０の高さ方向と直交する幅方向において、上記主制御基板ユニット４１の隣には、主制御基板ユニット４１から出力された信号を中継する中継基板ユニット４２が配設されており、この中継基板ユニット４２を介して主制御基板ユニット４１は、リールユニット３０やホッパーユニット２０等の他ユニットと接続されている。
【００１３】
前扉５０は、扉の上部、中央上部、下部にそれぞれ、演出用の絵柄や配当表などを表示する上パネル５７、中央パネル５２、下パネル５５が設けられており、中央パネル５２には、第１リールＲ１〜第３リールＲ３の回転状態及び停止状態を観察可能にする表示窓５１が設けられている。第１リールＲ１〜第３リールＲ３の停止状態では、第１リールＲ１〜第３リールＲ３それぞれの外周面に一定間隔で配列された複数種類の図柄のうち、外周面上に連続して配列されている３つの図柄（上段図柄、中段図柄、下段図柄）をスロットマシン１の正面から表示窓５１を通じて観察できるようになっている。なお、各リールＲ１，Ｒ２，Ｒ３の回転ドラム３１，３２，３３の内周側には、上段・中段・下段の枠部３０ａ，３０ｂ，３０ｃと枠部３０ａ〜３０ｃのそれぞれに配置された発光素子３０ｄとを含む照明装置が配置されている（図２参照）。図２は、複数の図柄が印刷され各回転ドラム３１，３２，３３の外周部に装着されるリールテープが取外された状態を示しており、発光素子３０ｄはリールテープが装着された状態において枠部３０ａ〜３０ｃに対応する位置の図柄を裏側から照らす、所謂バックライトとして機能する。
【００１４】
また、本実施形態のスロットマシン１では、各リールの上段・中段・下段の表示位置の組合せ（例えば中段一列）によって有効ラインＬｆが設定されている。なお、本実施形態のスロットマシン１では、１回の遊技に関して必要となるメダルの数、いわゆる規定投入数が３枚に設定され、規定投入数に相当するメダルが投入されると第１リールＲ１〜第３リールＲ３の中段によって構成される有効ラインＬｆが有効化される。
【００１５】
更に、中央パネル５２には、第１リールＲ１〜第３リールＲ３の停止順序（以下、打順ともいう）を報知する第１ナビランプＮＬ１〜第３ナビランプＮＬ３が表示窓５１の上方に設けられており、第１リールＲ１〜第３リールＲ３にそれぞれ対応する第１ナビランプＮＬ１〜第３ナビランプＮＬ３が点灯することによって、遊技者に打順を報知するようになっている。
【００１６】
中央パネル５２には、第１ナビランプＮＬ１〜第３ナビランプＮＬ３の更に上方に、配当表が表示される配当表示部ＰＴが設けられている。配当表示部ＰＴとは、例えば役の構成と役に対応するメダルの払い出し枚数とを関連付けて表示するもの、又はボーナスが設定された役の構成を表示するものであり、中央パネル５２の一部の領域に印刷又は半透明シールの貼り付け等の方法によって形成されている。また、中央パネル５２の表示窓５１の下方には、ＬＥＤ、ランプ、７セグメント表示器等からなる遊技情報表示部ＤＳが設けられており、遊技情報表示部ＤＳにはメダルのクレジット数、１回の遊技におけるメダルの払出数あるいは獲得数、今回の遊技で当選した役の情報に係る報知表示、有利期間等の各種遊技情報が表示されるようになっている。
【００１７】
また、前扉５０は、下パネル５５が設けられる扉下部分５３が中央パネル５２のパネル面よりも前方に突出して設けられており、下パネル５５の上方には各種の操作手段が設けられている。操作手段としては、クレジット（貯留）されたメダルを投入する操作を行うための投入操作手段として、１枚のメダルを投入するシングルベットボタンＢＴ及び規定投入数のメダルを投入するマックスベットを実行するマックスベットボタンＭＢ、第１リールＲ１〜第３リールＲ３を回転させて遊技を開始する契機となる開始操作を遊技者に実行させるための遊技開始操作手段としてのスタートレバーＳＬ、第１ステッピングモータ〜第３ステッピングモータにより回転駆動されている第１リールＲ１〜第３リールＲ３のそれぞれを停止させる契機となる停止操作を遊技者に実行させるための停止操作手段としてのストップボタンＢ１〜ストップボタンＢ３及びクレジットされたメダルを精算するための精算ボタンＢＳが設けられている。
【００１８】
更に、扉下部分５３には、遊技者がメダルを投入するメダル投入口５６が設けられており、このメダル投入口５６から投入されたメダルは、扉下部分５３の裏側に設けられたセレクタ（不図示）によってカウントされてホッパーユニット２０へと案内されるようになっている。本実施の形態のスロットマシン１では、遊技者がメダルをメダル投入口５６に投入するか、メダルが規定投入数以上にクレジットされている場合に、シングルベットボタンＢＴを規定投入数と同じ回数押下する操作を行う又はマックスベットボタンＭＢを押下する操作を行うことで、第１リールＲ１〜第３リールＲ３の回転制御を開始することが可能な準備状態にセットされる。そして、遊技者がスタートレバーＳＬを押下、つまり遊技者がスタートレバーＳＬに対して開始操作を実行すると、主制御基板ユニット４１において乱数値を用いた内部抽選が行われ第１リールＲ１〜第３リールＲ３をステッピングモータの駆動により回転開始させるとともに、第１リールＲ１〜第３リールＲ３の回転速度が所定の速度まで上昇し定常回転になったことを条件に、ストップボタンＢ１〜ストップボタンＢ３の押下操作が許可、即ちストップボタンＢ１〜ストップボタンＢ３による停止操作が有効化される。
【００１９】
その後、遊技者が任意のタイミングでストップボタンＢ１〜ストップボタンＢ３を押下（以下、「押下タイミング」と記載）し、遊技者が任意のタイミングで押下状態にあるストップボタンＢ１〜ストップボタンＢ３を解放すると、ストップボタンＢ１〜ストップボタンＢ３それぞれに対応するストップスイッチがオフ動作を行い、主制御基板ユニット４１へ出力するリール停止信号をオン状態からオフ状態に変化させる。
【００２０】
そして、主制御基板ユニット４１は、ストップボタンＢ１〜ストップボタンＢ３の押下タイミング及び解放タイミングに応じて信号状態が変化するリール停止信号のオフ状態からオン状態への変化に基づいて、内部抽選の結果に応じた停止位置で第１リールＲ１〜第３リールＲ３を停止させる。
【００２１】
また、主制御基板ユニット４１は、第１リールＲ１〜第３リールＲ３を停止させた後に、有効ラインＬｆ上に停止している図柄の組合せに応じて、各種処理を実行する。主制御基板ユニット４１が実行する各種処理としては、例えば、有効ラインＬｆ上に停止している図柄の組合せがメダルの払い出しを伴う役である小役の図柄組合せである場合、つまり小役が入賞した場合に、入賞した小役に設定されている配当に基づきホッパーユニット２０からメダルを払い出す払出処理や、有効ラインＬｆ上に停止している図柄の組合せが遊技者にメダルを消費させることなく１回遊技を実行可能にする役であるリプレイの図柄組合せである場合には、今回の遊技における規定投入数のメダルを投入状態に設定するリプレイ処理等がある。
【００２２】
また、扉下部分５３の下部には、メダル払出口５９とメダル受け皿６０とが設けられており、遊技の結果に応じた枚数のメダルがメダル払出口５９からメダル受け皿６０へ払い出されるようになっている。また、例えば、遊技機内にクレジットされたメダルが記憶されている状態で、精算ボタンＢＳが押下された場合、精算ボタンＢＳの押下に伴ってホッパーユニットからクレジット数（クレジットされたメダルの枚数）に相当する枚数のメダルを払い出す精算処理を実行し、メダル払出口５９からメダル受け皿６０へメダルを払い出す。
【００２３】
更に、前扉５０には、遊技を盛り上げるために音響装置（６１Ｌ，６１Ｒ，６２Ｌ，６２Ｒ）や、ランプ装置（６３，６５，６７Ｌ，６７Ｒ）などの複数の演出装置が設けられている。具体的には、前扉５０の上部及び下部の左右端部には、それぞれ上部スピーカー６１Ｌ，６１Ｒ及び下部スピーカー６２Ｌ，６２Ｒが設けられており、遊技を補助したり、遊技を盛り上げたりするための各種の音声が出力される。
【００２４】
また、前扉５０の上部には、演出用役物としてアーチランプ６３及びパトランプ６５が設けられている。アーチランプ６３は、左右の上部スピーカー６１Ｌ，６１Ｒの間に配置されており、レンズユニットが前方に向かって湾曲して構成されている。また、パトランプ６５は、上記アーチランプ６３の下方でかつ上パネル５７の前面に設けられており、光源の周りを回転部材が回転する回転灯装置によって構成されている。更に、前扉５０の側端部には、左右のサイドランプ６７Ｌ，６７Ｒが設けられており、これら左右のサイドランプ６７Ｌ，６７Ｒは、扉下部分５３の側方から上部スピーカー６１Ｌ，６１Ｒの側方まで、前扉５０の上下方向略全長に亘って延設されている。これらアーチランプ６３、パトランプ６５及びサイドランプ６７Ｌ，６７Ｒ等のランプ装置は、遊技に合わせて点灯して演出用の照明装置として機能したり、遊技に係る情報を遊技者に報知する報知装置として機能する。
【００２５】
２．照明装置
次に、遊技機に適用可能な照明手段の一例である照明装置７０の構成について、図３乃至図５を用いて説明する。なお、図３（ａ）はスロットマシン１の正面図であり、図３（ｂ）は図３（ａ）に示す切断位置（Ｂ−Ｂ）における断面図である。図４（ａ）、（ｂ）は照明装置７０を構成するＬＥＤ基板７１の斜視図であり、図５は照明装置７０の分解図である。また、図６（ａ）、（ｂ）はＬＥＤ基板７１から照射された光線が通過する代表的な経路を示す断面図である。
【００２６】
図３（ａ）、（ｂ）に示すように、リールユニット３０及びスロットマシン１の前面に設けられた被照明部の照明を行う照明手段としての照明装置７０は、発光素子として発光ダイオード（以下、ＬＥＤとする）が配置されたＬＥＤ基板７１を備えている。ＬＥＤ基板７１は、左右方向、即ちリールユニット３０の回転軸線に沿った方向から視た場合に、配当表示部ＰＴ及び第１ナビランプＮＬ１〜第３ナビランプＮＬ３の後方、かつ、リールユニット３０の回転軸線に対して前上方に位置している。本実施形態において、中央パネル５２の表示窓５１以外の領域５２ａは、被照明部としての第１ナビランプＮＬ１〜第３ナビランプＮＬ３及び配当表示部ＰＴを含む外装部に相当する。
【００２７】
図４（ａ）、（ｂ）に示すように、ＬＥＤ基板７１は、基板の両面に発光ダイオードが配置された両面ＬＥＤ基板である。ＬＥＤ基板７１は、表面７１１及び裏面７１２の両方にプリント配線が形成された基板本体７１０と、表面７１１に配置された複数のＬＥＤ７１ａからなる第１発光部Ｌ１と、裏面７１２に配置された複数のＬＥＤ７１ｃからなる第２発光部Ｌ２と、表面７１１の第１発光部Ｌ１より上側の領域に配置された複数のＬＥＤ７１ｂからなる第３発光部Ｌ３と、を備えている。ＬＥＤ基板７１の表面７１１は、被照明部の照明用の光源が配置される第１面に相当し、裏面７１２は、回転リールの照明用の光源が配置される第２面に相当する。
【００２８】
第１発光部Ｌ１は、第１の被照明部としての第１ナビランプＮＬ１〜第３ナビランプＮＬ３の照明に用いられる光を発する第１光源に相当し、第１ナビランプＮＬ１〜第３ナビランプＮＬ３に対応する３つの発光素子群Ｌ１ａ，Ｌ１ｂ，Ｌ１ｃによって構成される。第１発光部Ｌ１のＬＥＤ７１ａとしては、例えば赤・緑・青の３色の発光素子がユニット化されたフルカラーＬＥＤを用いると好適である。
【００２９】
裏面７１２の第２発光部Ｌ２は、第１発光部Ｌ１の裏側に、即ち上下方向及び左右方向に関して第１発光部Ｌ１と少なくとも部分的に重なる範囲に亘って配置されている。第２発光部Ｌ２は、第１リールＲ１〜第３リールＲ３の照明に用いられる光を発する第２光源に相当する。一方、表面に配置された第３発光部Ｌ３は、第２の被照明部としての配当表示部ＰＴの照明に用いられる光を発する第３光源に相当し、第１発光部Ｌ１を構成するＬＥＤより上方に配列されている。第２発光部Ｌ２及び第３発光部Ｌ３を構成するＬＥＤ７１ｂ，７１ｃとしては、例えば白色ＬＥＤを用いると好適である。
【００３０】
基板本体７１０には、副制御基板ユニットからの配線が接続されるコネクタ７１４，７１４が配置されている。副制御基板ユニットは、遊技の進行状態に応じて主制御基板ユニットが発する制御信号に基づいて、第１発光部Ｌ１〜第３発光部Ｌ３の発光状態を制御するための制御信号を発する。本実施形態において、第１発光部Ｌ１〜第３発光部Ｌ３は、副制御基板ユニットからの制御信号に基づいてそれぞれ独立に点灯及び消灯可能である。また、第１発光部Ｌ１については、発光素子群Ｌ１ａ，Ｌ１ｂ，Ｌ１ｃを単位として点灯及び消灯のタイミング並びに発光色を制御可能である。これにより、例えば第１リールＲ１〜第３リールＲ３を遊技中は一定の照度で照らしつつ、遊技の演出として配当表示部ＰＴを点滅させたり、遊技者に打順を報知する際に第１ナビランプＮＬ１〜第３ナビランプＮＬ３を適切なタイミングで、かつ、異なる色で発光させたりすることが可能となる。
【００３１】
図５に示すように、ＬＥＤ基板７１は、中央パネル５２が取付けられるベース部材８０にネジ止めされる。ベース部材８０には、前方からＬＥＤ基板７１を嵌め込む凹部８２が設けられており、この凹部８２の周囲には後述の反射面８３，８４，８５が設けられている。また、ベース部材８０には、表示窓５１に対応する開口部８１と、開口部８１の下方側に位置する反射面８６とが設けられている。
【００３２】
また、ＬＥＤ基板７１と中央パネル５２との間には、ＬＥＤ基板７１の表面７１１に対向する遮光板７２が配置されている。遮光板７２は、第１発光部Ｌ１と第３発光部Ｌ３とを区画するように左右方向に延びる横板部７２ａと、第１発光部Ｌ１の発光素子群Ｌ１ａ，Ｌ１ｂ，Ｌ１ｃを区画するように上下方向に延びる複数の縦板部７２ｃとによって構成され、ＬＥＤ基板７１が上述の凹部８２に嵌め込まれた状態でベース部材８０に前方からネジ止めされる。遮光板７２の横板部７２ａ及び縦板部７２ｃの各々は、ＬＥＤ基板７１に配置された光源から発せられた光を異なる被照明部へ向けて導く光路を隔てる隔壁部の一例である。遮光板７２及び上述のベース部材８０は、少なくともＬＥＤ基板７１から発せられた光の経路を構成する部分（反射面８３〜８６等）を、白色樹脂材料等の明度の高い材料で構成するか、塗装又は蒸着等の表面処理によって光の反射率を高めると好適である。
【００３３】
３．照射光が通る経路について
次に、ＬＥＤ基板７１から照射される光の光路について、図６を用いて説明する。図６（ａ）、（ｂ）は、図３（ａ）の切断線Ｂ−Ｂの位置における照明装置７０の断面構成を示す拡大図である。図６（ａ）、（ｂ）に示す実線矢印は、ＬＥＤ基板７１から照射される光が通る代表的な経路を示すため、第１発光部Ｌ１〜第３発光部Ｌ３のＬＥＤから照射される光束の中心を通る光線の経路を図示している。
【００３４】
なお、左右方向から視た断面における照明装置７０の構成は、切断位置によらず基本的に同様であるため、以下の説明において部材名を一部省略する。例えば、第２ナビランプＮＬ２は、第１ナビランプＮＬ１〜第３ナビランプＮＬ３を代表するものとして単に「ナビランプＮＬ２」とし、同様に第２リールＲ２は第１リールＲ１〜第３リールＲ３を代表するものとして「リールＲ２」とする。また、図示した例では各ＬＥＤの光軸がＬＥＤ基板７１に対して垂直な方向を向いた状態で実装されるものとして説明するが、基板本体の法線方向に対して傾斜した照射角度を有するＬＥＤを用いてもよい。
【００３５】
図６（ａ）に示すように、第１発光部Ｌ１から前方に向かって発せられる光は、遮光板７２の横板部７２ａの下側反射面ａ２と、ベース部材８０に設けられた反射面８４とによって形成される光路を通って中央パネル５２に到達してナビランプＮＬ２を点灯させる。一方、第３発光部Ｌ３から発せられた光は、横板部７２ａの上側反射面ａ１と、ベース部材８０に設けられた反射面８３とによって形成される光路を通って中央パネル５２に到達し、配当表示部ＰＴを点灯させる。即ち、第１発光部Ｌ１及び第３発光部Ｌ３から発せられた光は、隔壁部としての横板部７２ａによって隔てられた光路を通って適切な方向に導かれて第１及び第２の被照明部（ＮＬ２，ＰＴ）に照射される。
【００３６】
ここで、配当表示部ＰＴは、ＬＥＤ基板７１の法線方向から視て第３発光部Ｌ３と重なる位置にあり、第３発光部Ｌ３から発せられた光は適度に拡散しつつ直接的に中央パネル５２に到達する。その一方で、ナビランプＮＬ２は、ＬＥＤ基板７１の法線方向から視た場合に第１発光部Ｌ１より下方に位置している。横板部７２ａはＬＥＤ基板７１の法線方向から視て第１発光部Ｌ１と重なる位置にあり、ＬＥＤ基板７１から離間する方向（前方）に向かって下方に傾斜している。従って、第１発光部Ｌ１から照射される光束の中心を通る光線は、横板部７２ａの下側反射面ａ２によって下方に向けて反射された反射光として中央パネル５２に到達する。
【００３７】
図６（ａ）、（ｂ）に示すように、第２発光部Ｌ２から後方に向かって発せられる光は、ベース部材８０に設けられた反射面８５によって下方に向けて反射される。このとき、反射面８５によって拡散された散乱光（図６（ａ）の破線矢印）が直接又は間接にリールＲ２の外周面に到達することにより、表示窓５１を通して遊技者が視認可能な範囲、とりわけ上段の枠部３０ａに対応する図柄の付近を照らし出す。また、第２発光部Ｌ２から照射される光束の中心を通り、反射部材としての反射面８５によって反射された光線Ａ０は、リールＲ２と表示窓５１の間を通過して表示窓５１の下方側の反射面８６に到達する。そして、反射面８６によって反射される光の少なくとも一部はリールＲ２の外周面に到達し、下段の図柄の付近を照らし出す。第２発光部Ｌ２から発せられた光は、リールＲ２のバックライトである発光素子３０ｄと共にリールＲ２の照明を行うことで、遊技者によるリールの視認性を高める。
【００３８】
このように、本実施形態において、基板本体７１０の両面に配置された光源から発せられる光は少なくとも３つの方向に向けて照射される（図６（ａ）、（ｂ）参照）。即ち、第１発光部Ｌ１からの光がナビランプＮＬ２に照射され、第２発光部Ｌ２からの光がリールＲ２に照射され、第３発光部Ｌ３からの光が配当表示部ＰＴに照射される。これらの光の経路は、ベース部材８０の反射面８３，８４，８５及び遮光板７２によって区画されている。
【００３９】
ここで、ＬＥＤ基板７１は両面ＬＥＤ基板であることから、基板自体が光路を隔てる隔壁として機能し、リールＲ２に向かう光路とナビランプＮＬ２及び配当表示部ＰＴに向かう光路とが基板本体７１０によって隔離される。従って、第１発光部Ｌ１及び第２発光部Ｌ２に関しては、遮光板７２の横板部７２ａのように基板本体７１０の実装面である表面７１１又は裏面７１２に近接する隔離部を配置することなく光路を分離することが可能となり、照明対象に応じた適切な照明制御を容易に実現することができる。また、基板本体７１０の実装面に近接する部材の数を最小限に抑えられることから、組付けの際に発光素子の破損が生じる可能性を低減することができる。
【００４０】
また、本実施形態では、両面ＬＥＤ基板であるＬＥＤ基板７１を外装部と回転リールとの間の空間に配置している。具体的には、図３（ｂ）に示すように、基板の法線方向から視た場合に、ＬＥＤ基板７１が被照明部であるナビランプＮＬ２及び配当表示部ＰＴとリールＲ２とに対してそれぞれ重なる位置に配置されている。このため、ＬＥＤ基板７１の第１面に配置された発光素子を用いて被照明部の照明を行いつつ、第２面に配置された発光素子を用いて回転リールの照明を行う構成において、光源から被照明部及び回転リールの外周面までの経路長を最小限に抑えて、効率的な照明を行うことができる。
【００４１】
なお、本実施形態ではＬＥＤ基板７１の裏面７１２に配置された発光素子の全体、即ち第２発光部Ｌ２の全体がリールユニット３０の照明に用いられるものとして説明したが、例えばＬＥＤ基板７１の裏面７１２にＬＥＤを追加配置し、上パネル５７（図１参照）に配置された装飾部材や演出装置に向けて直接又は間接に光を照射する構成としてもよい。
【００４２】
４．本実施形態の効果
上述したように、本実施形態に係る遊技機（１）は、
外周面に複数種類の図柄が配列された回転リール（Ｒ１，Ｒ２，Ｒ３）と、
前方から前記回転リールを視認可能な表示窓（５１）と、
前方から視て前記表示窓の外側に位置する外装部（５２ａ）と、
前記外装部に設けられた被照明部（ＮＬ１，ＮＬ２，ＮＬ３）及び前記回転リールの照明を行う照明手段（７０）と、を備え、
前記照明手段は、前記外装部の後方に配置された基板（７１）と、前記基板の第１面（７１１）に配置され、前記被照明部の照明に用いられる光を発する第１光源（Ｌ１）と、前記基板の前記第１面とは反対の第２面（７１２）に配置され、前記回転リールの照明に用いられる光を発する第２光源（Ｌ２）と、を有する。
【００４３】
この構成により、外装部に設けられる被照明部と回転リールという複数の照明対象を、１つの基板に配置された光源からの光を用いて照明を行うことができ、被照明部及び回転リールの照明を行うための基板を別個に設ける構成に比して遊技機の小型化及び組立工数の削減を図ることができる。また、被照明部及び回転リールの照明を行う照明手段を配置するためのスペースが最小限で済むことから、照明手段を被照明部及び回転リールの付近に配置することができ、必要な照度を容易に確保することができる。
【００４４】
なお、本実施形態では被照明部の例として第１ナビランプＮＬ１〜第３ナビランプＮＬ３を挙げたが、第１光源からの光を用いて他の部位の照明を行う構成としてもよい。例えば、配当表示部ＰＴは、基板の第１面に配置される光源（例えば本実施例における第３発光部Ｌ３）からの光を用いて照明が行われる被照明部の他の例である。また、ＬＥＤ基板７１を表示窓５１の側方に配置し、回転リールに加えてスロットマシン１の側部に設けられる装飾部材又は演出装置の照明を行ってもよく、或いはＬＥＤ基板７１を表示窓５１の下方に配置し、回転リールに加えてメダル投入口５６やマックスベットボタンＭＢ（図１参照）の照明を行う構成としてもよい。また、外装部とは表示窓５１と一体のパネルに限らず、例えば可動役物等の演出役物であってもよく、表示窓５１を保持するフレームであってもよいものとする。要するに、遊技機の機体前方から視て表示窓５１の外側に位置する外装部材は外装部に相当する。
【００４５】
また、「基板」とは、発光素子を配置可能な基板一般を指し、照明専用の基板には限らず、また、その配置姿勢も本実施形態のように第１面を前方側に、第２面を後方側に向けたものに限らない。更に、光源として用いられる発光素子は上述のＬＥＤに限らず、例えば発光層が有機化合物からなる有機ＥＬを用いてもよい。
【００４６】
また、本実施形態に係る遊技機（１）は、
前記第２光源が発した光を反射する反射部材（８５）を備え、
前記基板は、前記表示窓に対して上下方向の一方側に配置され、
前記反射部材は、前記回転リールの回転軸線に沿った方向から視た場合に、前記第２光源が発する光束の中心を通る光線（Ａ０）を、上下方向の他方側に、かつ、前記回転リールと前記表示窓との間を通過する方向に向けて反射するように配置される。
【００４７】
この構成により、第２光源が発する光束の中心に近い経路を通る光線、即ち光度が比較的大きい範囲の光線が回転リールと表示窓との間を通過するように導かれる。このため、回転リールの外周面や表示窓の一部が局所的に強く照らされた状態（所謂点光り）を回避し、回転リールの図柄をより均一に近い状態で照らすことができ、図柄の視認性を高めることができる。
【００４８】
なお、本実施形態ではＬＥＤ基板７１が表示窓５１の上方側に位置し、反射面８５は第２発光部Ｌ２からの光を下方へ向けて反射するものとして説明したが、上下の位置関係を変更してもよい。即ち、反射部材は、基板が表示窓に対して上下方向の一方側に配置される構成において、第２光源からの光を基板とは他方側に反射するものであればよい。
【００４９】
また、本実施形態に係る遊技機（１）は、
前記被照明部は、第１の被照明部（ＮＬ１，ＮＬ２，ＮＬ３）及び第２の被照明部（ＰＴ）を含み、
前記基板の前記第１面に配置された第３光源（Ｌ３）と、
前記基板と前記外装部との間に、前記基板の前記第１面に対向するように配置され、前記第１光源が発した光を前記第１の被照明部へ導く光路と前記第３光源が発した光を前記第２の被照明部へ導く光路とを隔てる隔壁部（７２ａ）と、を備える。
【００５０】
この構成により、基板の第１面に配置された光源から発せられる光が更に複数の照明対象へと導かれるため、１つの基板に配置された光源を用いて、少なくとも３つの照明対象（回転リール、第１及び第２の被照明部）の照明を行うことができる。これにより、より一層の遊技機の小型化及び組立工数の削減を図ることができる。また、第１及び第２の被照明部に至る光路が隔壁部によって隔てられているため、第１の被照明部の発光状態と第２の被照明部の発光状態とを独立に制御することが可能となる。即ち、第１及び第２の被照明部を異なるスケジュールで点灯及び消灯させたり、第１及び第２の被照明部を異なる色で発光させたりすることが可能である。
【００５１】
なお、第１及び第２の被照明部は、第１ナビランプＮＬ１〜第３ナビランプＮＬ３及び配当表示部ＰＴに限らず、外装部の中で遊技の演出を行ったり遊技に関する情報を表示したりする他の部位であってもよい。遊技の演出とは、遊技の進行状態に応じて画像を表示したり遊技機の特定の部位を点灯させたりすることで遊技を盛り上げるものであり、ナビランプのように遊技者を補助する補助演出装置を含む。また、特定の役の入賞時に配当表示部ＰＴを点滅させるもの等、演出機能と情報表示機能とを兼ね備えたものであってもよい。
【００５２】
また、上述したスロットマシン１では、前扉５０を分離不能に一体に構成したが、上扉ユニットと下扉ユニットとに上下に分離して構成し、これら上扉ユニット及び下扉ユニットを別個に開閉可能に構成しても良い。また、スロットマシンの筐体１０は必ずしも木製に限らず、例えば、樹脂などによって構成しても良い。更に、本実施の形態では、遊技機の制御基板を、主制御基板ユニット４１と演出装置を制御する副制御基板ユニットとに分離し、主制御基板ユニット４１から副制御基板ユニットへの単方向通信のみを可能に構成したが、これら主制御基板ユニット及び副制御基板ユニットは、一体に構成されても良い。
【符号の説明】
【００５３】
１…遊技機（スロットマシン）／５１…表示窓／５２ａ…外装部／７０…照明手段（照明装置）／７１…基板（ＬＥＤ基板）／７１１…第１面（表面）／７１２…第２面（裏面）／７２ａ…隔壁部（横板部）／８５…反射部材（反射面）／Ｌ１…第１光源（第１発光部）／Ｌ２…第２光源（第２発光部）／Ｌ３…第３光源（第３発光部）／ＮＬ１，ＮＬ２，ＮＬ３…被照明部、第１の被照明部（ナビランプ）／ＰＴ…被照明部、第２の被照明部（配当表示部）／Ｒ１，Ｒ２，Ｒ３…回転リール（リール）
【図１】
2018153453.tif 000003
【図２】
2018153453.tif 000004
【図３】
2018153453.tif 000005
【図４】
2018153453.tif 000006
【図５】
2018153453.tif 000007
【図６】
2018153453.tif 000008